(57)【特許請求の範囲】
【請求項１】
回転軸と、
この回転軸を回転自在に保持する保持手段と、
この保持手段及び前記回転軸の一方に固定された抵抗体と、
前記保持手段に対する前記回転軸の回転に応じて前記抵抗体上を摺動する摺動接点と、
前記回転軸を前記保持手段に対して所定の回転位置に位置決めするクリック機構とを備え、
前記抵抗体に対する前記摺動接点の位置に応じて抵抗値が変化する可変抵抗器において、
前記回転軸と同軸配置されると共に前記回転軸に対して回転自在に設けられ、且つ前記保持手段に対して位置調整が可能なクリック位置可変軸を備え、
前記クリック機構は、前記回転軸及び前記クリック位置可変軸の一方に設けられた位置決め用の窪みと、前記回転軸及び前記クリック位置可変軸の他方に設けられた前記窪みにはまる弾性体とからなるものであり、
前記可変抵抗器は、さらに、直線方向に移動自在に設けられたスライド部材と、
このスライド部材の直線方向の動きを前記回転軸に回転方向の動きとして伝達する伝達手段とを備えた
ことを特徴とする可変抵抗器。
【請求項２】
回転軸と、
この回転軸を回転自在に保持する保持手段と、
この保持手段及び前記回転軸の一方に固定された抵抗体と、
前記保持手段に対する前記回転軸の回転に応じて前記抵抗体上を摺動する摺動接点と、
前記回転軸を前記保持手段に対して所定の回転位置に位置決めするクリック機構とを備え、
前記抵抗体に対する前記摺動接点の位置に応じて抵抗値が変化する可変抵抗器において、
前記回転軸と同軸配置されると共に前記回転軸に対して回転自在に設けられ、且つ前記保持手段に対して位置調整が可能なクリック位置可変軸を備え、
前記クリック機構は、第１のクリック機構と第２のクリック機構とからなり、
前記第１のクリック機構は、前記回転軸及び前記クリック位置可変軸の一方に設けられた位置決め用の第１の窪みと、前記回転軸及び前記クリック位置可変軸の他方に設けられた前記第１の窪みにはまる第１の弾性体とを備え、
前記第２のクリック機構は、前記保持手段及び前記クリック位置可変軸の一方に設けられた複数の位置決め用の第２の窪みと、前記保持手段及び前記クリック位置可変軸の他方に設けられた前記第２の窪みにはまる第２の弾性体とを備え、
前記第１の弾性体の前記第１の窪みからの脱出に要する力が前記第２の弾性体の前記第２の窪みからの脱出に要する力よりも小さく設定されている
ことを特徴とする可変抵抗器。
【請求項３】
直線方向に移動自在に設けられたスライド部材と、
このスライド部材の直線方向の動きを前記回転軸に回転方向の動きとして伝達する伝達手段と
を更に備えたことを特徴とする請求項２記載の可変抵抗器。
【発明の詳細な説明】
【０００１】
【発明の属する技術分野】
この発明は、特定の抵抗値をクリック機構によって記憶することができる回転軸駆動型の可変抵抗器に関し、特に音声調整卓（以下、ミキサと呼ぶ）の音量コントロールを行う際にハウリングポイントや基準レベル位置等を記憶するのに最適な可変抵抗器に関する。
【０００２】
【従来の技術】
従来より、回転軸駆動型の可変抵抗器として、クリック機構によって回転軸の軸受けに対する特定の回転位置への位置決めを可能にすることにより、特定の抵抗値を再現可能にしたものが知られている。
図１１は、従来のこの種の可変抵抗器の構造の一例を示す断面図である。
回転軸７１は、その一端側がケース７２に収容され、ケース７２に回転自在に保持されている。回転軸７１のケース７２に収容された端部には、円板状部材７３が形成されている。この円板状部材７３と対向するケース７２の底面には、抵抗体７４が印刷され、この抵抗体７４上を摺動するブラシ７５が円板状部材７３に設けられている。これにより、回転軸７１の回転位置に応じて、抵抗体７４に対するブラシ７５の位置が変わり、出力抵抗値を変化させることができる。円板状部材７３の反対側には、回転軸７１に固定された板バネ７６と、その先端がはまるケース７２の内壁に形成された位置決め用の窪み７７とにより、クリック機構７８が形成されている。
このクリック機構７８により、回転軸７１をケース７２に対して特定の回転位置に位置決めすることができるので、その位置で得られる抵抗値を用いて、音量調整時の基準位置、バランス中点位置を回路上で設定すれば、それら特定位置の再現が容易になる。
【０００３】
【発明が解決しようとする課題】
しかしながら、上述した従来の可変抵抗器では、位置決め用の窪みの位置が固定されているため、回路の諸条件や接続機器の変更でハウリングポイントや基準レベル位置等が変化した場合、これに対処することができないという問題がある。また、オペレータが任意のポイントを簡単に記憶することができないという問題もある。
【０００４】
この発明は、このような問題点に鑑みなされたもので、任意の抵抗値を簡単に記憶させることができると共にその変更も容易な可変抵抗器を提供することを目的とする。
【０００５】
【課題を解決するための手段】
この発明に係る可変抵抗器は、回転軸と、この回転軸を回転自在に保持する保持手段と、この保持手段及び前記回転軸の一方に固定された抵抗体と、前記保持手段に対する前記回転軸の回転に応じて前記抵抗体上を摺動する摺動接点と、前記回転軸を前記保持手段に対して所定の回転位置に位置決めするクリック機構とを備え、前記抵抗体に対する前記摺動接点の位置に応じて抵抗値が変化する可変抵抗器において、前記回転軸と同軸配置されると共に前記回転軸に対して回転自在に設けられ、且つ前記保持手段に対して位置調整が可能なクリック位置可変軸を備え、前記クリック機構は、前記回転軸及び前記クリック位置可変軸の一方に設けられた位置決め用の窪みと、前記回転軸及び前記クリック位置可変軸の他方に設けられた前記窪みにはまる弾性体とからなるものであり、前記可変抵抗器は、さらに、直線方向に移動自在に設けられたスライド部材と、このスライド部材の直線方向の動きを前記回転軸に回転方向の動きとして伝達する伝達手段とを備えたことを特徴とする。
【０００６】
この発明に係る他の可変抵抗器は、回転軸と、この回転軸を回転自在に保持する保持手段と、この保持手段及び前記回転軸の一方に固定された抵抗体と、前記保持手段に対する前記回転軸の回転に応じて前記抵抗体上を摺動する摺動接点と、前記回転軸を前記保持手段に対して所定の回転位置に位置決めするクリック機構とを備え、前記抵抗体に対する前記摺動接点の位置に応じて抵抗値が変化する可変抵抗器において、前記回転軸と同軸配置されると共に前記回転軸に対して回転自在に設けられ、且つ前記保持手段に対して位置調整が可能なクリック位置可変軸を備え、前記クリック機構は、第１のクリック機構と第２のクリック機構とからなり、前記第１のクリック機構は、前記回転軸及び前記クリック位置可変軸の一方に設けられた位置決め用の第１の窪みと、前記回転軸及び前記クリック位置可変軸の他方に設けられた前記第１の窪みにはまる第１の弾性体とを備え、前記第２のクリック機構は、前記保持手段及び前記クリック位置可変軸の一方に設けられた複数の位置決め用の第２の窪みと、前記保持手段及び前記クリック位置可変軸の他方に設けられた前記第２の窪みにはまる第２の弾性体とを備え、前記第１の弾性体の前記第１の窪みからの脱出に要する力が前記第２の弾性体の前記第２の窪みからの脱出に要する力よりも小さく設定されていることを特徴とする。
【０００７】
この発明に係る他の可変抵抗器は、直線方向に移動自在に設けられたスライド部材と、このスライド部材の直線方向の動きを前記回転軸に回転方向の動きとして伝達する伝達手段とを更に備えることができる。
【０００８】
この発明に係る可変抵抗器によれば、クリック位置可変軸及び回転軸の一方及び他方にそれぞれ設けられた弾性体と位置決め用の窪みとでクリック機構が構成され、且つクリック位置可変軸が保持手段に対して位置調整可能となっているので、クリック位置可変軸を保持手段に対して任意の位置に位置決めすることにより、回転軸のクリック位置を任意の位置に設定及び可変することができる。このため、機器への組み込み後であっても、クリック位置及びその位置での抵抗値を簡単に設定・変更・調整することができる。
【０００９】
この発明の他の可変抵抗器によれば、クリック機構を第１及び第２のクリック機構で構成し、クリック位置可変軸の保持手段に対する位置決めは第２のクリック機構で行い、回転軸のクリック位置可変軸に対する位置決めは第１のクリック機構で行うことができる。この場合、第１のクリック機構のクリック力が第２のクリック機構のクリック力よりも小さく設定されていると、クリック位置可変軸の位置調整後、回転軸を回転させた場合でも、クリック位置可変軸が回転することがなく、正確に設定位置に記憶することができる。
【００１０】
前記スライド部材と前記伝達手段を備えると、伝達手段によってスライド部材の直線方向の動きを前記回転軸に回転方向の動きとして伝達することができるので、スライド型のボリュウム等にもこの発明を適用することができる。
【００１１】
【発明の実施の形態】
以下、図面を参照して、この発明の実施の形態について説明する。
図１は、この発明の一実施例に係る可変抵抗器の構造を示す斜視図、図２は、その断面図である。
この可変抵抗器は、互いに独立に回転可能に同軸配置された回転軸１とクリック位置可変軸２とを備えている。回転軸１は、軸本体１ａと、その先端に設けられた軸本体１ａよりも大径のつまみ部１ｂと、軸本体１ａの基端に形成された円板状部材１ｃとにより構成されている。クリック位置可変軸２は、回転軸１の軸本体１ａの中央部の周囲に装着される筒状軸本体２ａと、この筒状軸本体２ａの先端側に回転軸１ａのつまみ部１ｂとほぼ同一径でこれに隣接するつまみ部２ｂと、筒状軸本体２ａの基端に形成され回転軸１の円板状部材１ｃと所定の間隔を持って並行に配置された円板状部材２ｃとにより構成されている。
【００１２】
これら回転軸１及びクリック位置可変軸２は、それらの基端側に形成された円板状部材１ｃ，２ｃが円筒状のケース３に収容され、つまみ部１ｂ，２ｂがそれぞれケース３の外に配置された状態でケース３にそれぞれ回転自在に保持される。ケース３の円板状部材１ｃと対向する側の壁は、ベークライト等の絶縁部材３ａで形成され、この絶縁部材３ａの円板状部材１ｃと対向する面に一部切欠した円環状の薄膜型の抵抗体４が印刷・焼き付け等の方法で形成されている。これに対する円板状部材１ｃには、回転軸１の回転に応じて抵抗体４上を摺動する摺動接点としてのブラシ５が装着されている。抵抗体４の両端とブラシ５とは、外部に引き出されたリード６と導通している。これにより、抵抗体４に対するブラシ５の位置によってリード６を介して得られる抵抗値が変化する。
【００１３】
円板状部材１ｃ，２ｃの間には第１のクリック機構７が構成され、円板状部材２ｃとケース３の先端側の壁面との間には第２のクリック機構８が構成される。
第１のクリック機構７は、クリック位置可変軸２に対する回転軸１の位置を決定するもので、円板状部材２ｃの円板状部材１ｃに対向する面に形成された第１の窪み７ａと、回転軸１の回転に応じて先端が円板状部材２ｃ上を摺動すると共に窪み７ａにはまることによりクリック機能を実現する第１の板バネ７ｂとから構成されている。
【００１４】
第２のクリック機構８は、ケース３に対するクリック位置可変軸２の位置を決定するもので、ケース３の先端側内壁に同一円周上に形成された複数の第１の窪み８ａと、クリック位置可変軸２の回転に応じて先端が上記内壁上を摺動すると共に窪み８ａに断続的にはまることによりクリック機能を実現する第２の板バネ８ｂとから構成されている。板バネ７ｂ，８ｂの先端部は、それぞれ窪み７ａ，８ａにはまり易く、脱出可能なように、例えば半球状に形成されている。
なお、第１の板バネ７ｂが第１の窪み７ａから脱出するのに要する力は、第２の板バネ８ｂが第２の窪み８ａから脱出するのに要する力よりも小さく設定されている。
【００１５】
次に、このように構成された可変抵抗器の動作について説明する。
最初に、クリック位置可変軸２を回転させて、記憶すべきクリック位置を設定する場合について説明する。
第１の板バネ７ｂが第１の窪み７ａにはまっていない場合には、先ず、回転軸１をクリック位置まで回転させる。
【００１６】
第１の板バネ７ｂが第１の窪み７ａにはまったら、クリック位置可変軸２を回転させる。このとき、回転軸１はクリック位置にあるため、クリック位置可変軸２と一緒に同一方向に回転する。このため、回転軸１に設けられたブラシ５は、抵抗体４上を摺動することによって、可変抵抗器の抵抗値を変化させることができる。オペレータは、この操作によって、例えばリハーサル時にハウリングポイントや基準レベル位置にクリック位置可変軸２を合わせ込むことができる。
【００１７】
クリック位置可変軸２の位置が決定されたら、以後は、回転軸１のみを回転させれば良い。回転軸１は、設定されたポイントでクリックするので、オペレータは限界値や基準レベル位置を容易に知ることができる。
【００１８】
図３は、上述した可変抵抗器におけるクリック機構の動作を説明するための図である。
第１の板バネ７ｂが同図（ａ）の位置から同図（ｂ）の位置に摺動するとき、即ち第１の板バネ７ｂが右方向へ摺動するときには、図４（ａ）に示すような作動力Ｆを第１の板バネ７ｂに加えなければならない。第１の板バネ７ｂを摺動させるのに要する力は、第１の窪み７ａの始まる位置から徐々に減少し、第１の窪み７ａの最も深い位置ｘ′で最小となり、その後増大し、第１の窪み７ａの終わる位置で急峻に通常の大きさに戻る。逆に、第１の板バネ７ｂが左方向へ摺動するときには、図４（ｂ）に示すような作動力Ｆを第１の板バネ７ｂに加えなければならない。このため、第１の板バネ７ｂを摺動させ、第１の板バネ７ｂの先端部が第１の窪み７ａにはまる位置での作動力とクリック脱出力との差から、感触が変わるので、第１の窪み７ａの位置ｘ′を知ることができる。
【００１９】
この実施例では、例えば第２の板バネ８ｂの弾性定数を、第１の板バネ７ｂの弾性定数より大きくしたり、あるいは第２の板バネ８ｂの縮みを、第１の板バネ７ｂの縮みより大きくすることにより、第１の板バネ７ｂの第１の窪み７ａからの脱出に要する力を第２の板バネ８ｂの第２の窪み８ａからの脱出に要する力よりも小さく設定しているので、回転軸１の回転によるクリック動作よって、クリック位置可変軸２が移動するのを防止することができる。
【００２０】
以上、この実施例によれば、ミキサの音量コントロール用として使用する場合、リハーサル時に求められた限界値であるハウリングポイントを記憶させたり、あるいは最適値である基準レベル位置を記憶させることができ、これらを演奏本番において知ることができる。
【００２１】
図５は、第２の実施例における可変抵抗器の構造を示す断面図である。
この実施例は、先の実施例における抵抗体４とブラシ５との配置、第１の窪み７ａと第１の板バネ７ｂとの配置、及び第２の窪み８ａと第２の板バネ８ｂとの配置をそれぞれ交換したものである。即ち、抵抗体４とブラシ５との配置、第１の窪み７ａと第１の板バネ７ｂとの配置、及び第２の窪み８ａと第２の板バネ８ｂとの配置のうちの少なくとも１つを交換しても、同様の効果を得ることができる。
【００２２】
図６は、第３の実施例における可変抵抗器の構造を示す断面図である。
この実施例は、第１の実施例における第２の窪み８ａと第２の板バネ８ｂとの配置のみを交換したものである。また、図７に示すように、第１及び第２の窪み７ａ，８ａをクリック位置可変軸３２の円板状部材３２ｃの縁部に形成することもできる。
【００２３】
図８は、第５の実施例における可変抵抗器の構造を示す断面図である。
この実施例は、先の実施例における回転軸４１とクリック位置可変軸４２の位置を入れ替えたものである。
【００２４】
図９は、上述した可変抵抗器をスライド装置に適用した一例を示す図である。
このスライド装置は、直線方向に移動自在に設けられたスライド部材５１と、直線方向の動きを上述した可変抵抗器の回転軸４１に回転方向の動きとして伝達するワイヤ（伝達手段）５２とから構成されている。スライド部材５１は、ガイド５３に保持されている。ワイヤ５２は、スライド部材５１と連結され、リール５４と回転軸４１とに係合されている。なお、回転軸４１の側壁には、ワイヤ５２のスリップを防止する溝切り４４を設けると良い。
【００２５】
なお、上述した実施例では、クリック機構に板バネを使用した例について説明したが、図１０に示すように、クリック機構に剛球６１と、これを一端で支持する蔓巻きバネ６２とを使用した場合についても適用可能であることは言うまでもない。
【００２６】
【発明の効果】
以上述べたように、この発明によれば、クリック位置可変軸及び回転軸の一方及び他方にそれぞれ設けられた弾性体と位置決め用の窪みとでクリック機構が構成され、且つクリック位置可変軸が保持手段に対して位置調整可能となっているので、クリック位置可変軸を保持手段に対して任意の位置に位置決めすることにより、回転軸のクリック位置を任意の位置に設定及び可変することができる。このため、機器への組み込み後であっても、クリック位置及びその位置での抵抗値を簡単に設定・変更・調整することができる。
【００２７】
また、この発明によれば、クリック機構を第１及び第２のクリック機構で構成し、クリック位置可変軸の保持手段に対する位置決めは第２のクリック機構で行い、回転軸のクリック位置可変軸に対する位置決めは第１のクリック機構で行うことができる。この場合、第１のクリック機構のクリック力が第２のクリック機構のクリック力よりも小さく設定されていると、クリック位置可変軸の位置調整後、回転軸を回転させた場合でも、クリック位置可変軸が回転することがなく、正確に設定位置に記憶することができる。
【図面の簡単な説明】
【図１】  この発明の一実施例に係る可変抵抗器の構造を示す斜視図である。
【図２】  同実施例における可変抵抗器の構造を示す断面図である。
【図３】  同抵抗器におけるクリック機構の動作を説明するための図である。
【図４】  同抵抗器におけるクリック位置の近傍の作動力変化を示す図である。
【図５】  第２の実施例における可変抵抗器の構造を示す断面図である。
【図６】  第３の実施例における可変抵抗器の構造を示す断面図である。
【図７】  第４の実施例における可変抵抗器の構造を示す断面図である。
【図８】  第５の実施例における可変抵抗器の構造を示す断面図である。
【図９】  同抵抗器をスライド装置に適用した一例を示す図である。
【図１０】  同抵抗器における他のクリック機構の構造を示す図である。
【図１１】  従来の可変抵抗器の構造の一例を示す断面図である。
【符号の説明】
１，１１，２１，３１，４１，７１…回転軸、１ｃ，２ｃ，３２ｃ，７３…円板状部材、２，１２，２２，３２，４２…クリック位置可変軸、３，１３，２３，３３，４３…ケース、３ａ…絶縁部材、４，７４…抵抗体、５，７５…ブラシ、６…リード、７ａ，８ａ，７７…窪み、７ｂ，８ｂ，７６…板バネ、４４…溝切り、５１…スライド部材、５２…ワイヤ、５３…ガイド、５４…リール、６１…剛球、６２…蔓巻きバネ、７２…軸受け。
【図１】
0003671514.tif 000002
【図２】
0003671514.tif 000003
【図３】
0003671514.tif 000004
【図４】
0003671514.tif 000005
【図５】
0003671514.tif 000006
【図６】
0003671514.tif 000007
【図１０】
0003671514.tif 000008
【図７】
0003671514.tif 000009
【図８】
0003671514.tif 000010
【図９】
0003671514.tif 000011
【図１１】
0003671514.tif 000012